(57)【要約】【課題】熱の発生を抑えて消費電力を減らし、輝度及び消費電力を調整して消費電力量を大幅に減らす省エネ電球を提供する。【解決手段】省エネ電球は、ランプホルダ１を備える。ランプホルダ１上には、導電コネクタ１１が設けられる。ランプホルダ１内には、角錐状組立品２が取り付けられている。角錐状組立品２の組立て面２１上には、複数の発光ダイオード３と、整流ダイオード４とがそれぞれ取り付けられている。角錐状組立品２には、チョークインダクタ５が取り付けられている。チョークインダクタ５上には、電流の入力又は出力を行う第１の端子及び第２の端子が設けられている。ランプホルダ１には、ランプカバー６が取り付けられる。ランプカバー６により角錐状組立品２、整流ダイオード４、発光ダイオード３及びチョークインダクタ５が覆われる。【選択図】図１
0003193878.tif 000002
【実用新案登録請求の範囲】
【請求項１】
ランプホルダを備える省エネ電球であって、
前記ランプホルダ上には、導電コネクタが設けられ、
前記ランプホルダ内には、角錐状組立品が取り付けられ、
前記角錐状組立品の組立て面上には、複数の発光ダイオードと、整流ダイオードとがそれぞれ取り付けられ、
前記角錐状組立品には、チョークインダクタが取り付けられ、
前記チョークインダクタ上には、電流の入力又は出力を行う第１の端子及び第２の端子が設けられ、
前記第１の端子は、ラインを介して前記整流ダイオード及び前記発光ダイオードとそれぞれ接続され、
前記第２の端子は、ラインを介して前記ランプホルダの前記導電コネクタと接続され、
前記ランプホルダには、ランプカバーが取り付けられ、
前記ランプカバーにより前記角錐状組立品、前記整流ダイオード、前記発光ダイオード及び前記チョークインダクタが覆われることを特徴とする、
省エネ電球。
【請求項２】
前記角錐状組立品には、前記チョークインダクタが内設される収容部が形成されていることを特徴とする請求項１に記載の省エネ電球。
【請求項３】
前記ランプホルダの外部には、ラインを介して前記チョークインダクタと接続されるとともに調整装置を有する可変抵抗が配設されていることを特徴とする請求項１に記載の省エネ電球。
【考案の詳細な説明】
【技術分野】
【０００１】
本考案は、省エネ電球に関し、特に、熱の発生を抑えて消費電力を減らし、輝度及び消費電力を調整して消費電力量を大幅に減らす電球構造を有する省エネ電球に関する。
【背景技術】
【０００２】
電球は、街路灯、自動車用ライト、デスクライト、懐中電灯などの様々な照明器具又は警告ランプとして広く使用される。従来の電球にはタングステン電球が使用されることが多いが、タングステン電球は、消費電力が多くて使用寿命が短いため、科学技術の進歩に伴い、発光ダイオード電球により代替されてきている。
発光ダイオード電球は、消費電力が少なくて省エネルギーであり、耐久性が高くて寿命が長く、反応が速いなどの長所を有するが、照明はあまり明るくなかった。これに鑑み、照明の明るさを高めることができる、高パワー発光ダイオード電球が開発されている。
【０００３】
図３に示すように、従来の高パワー発光ダイオード電球７には、ＬＶ−発光ダイオード（Ｌｏｗ  Ｖｏｌｔａｇｅ  発光ダイオード）７１が用いられている。
ＬＶ−発光ダイオード７１は、高パワーを発生させることができるが、電圧が低かったため電流は相対的に高かった。電流が大きい状況下において、ＬＶ−発光ダイオード７１は発光過程で温度が非常に高くなることがあった。そのため、発光ダイオード電球７のその他の部品が高温により焼損してしまうこと防ぐために、ランプの製造メーカは、発光ダイオード電球７のランプホルダ７２上に放熱フィン７２１を設けた。しかし放熱フィン７２１を設けた場合、発光ダイオード電球７の製造コストが増えてしまう上、実際に使用する際、放熱フィン７２１では、ＬＶ−発光ダイオード７１の作動により発生する熱を効果的に外部へ排出させることはできなかった。
【０００４】
発光ダイオード電球７は、電子変圧器７３を介してＬＶ−発光ダイオード７１を作動させ、電子変圧器７３は、多くの電子部品７３１から構成されているため、コストが高い上、作動により多くの廃熱が発生する虞があった。これにより従来の発光ダイオード電球７は、全体の温度が高く、発光ダイオード電球７が焼損してしまい易い上、電子変圧器７３の多数の電子部品７３１中に環境を汚染させる重金属が多く含まれているため、不用意に廃棄すると環境を汚染させる虞があった。
【０００５】
本考案者は、従来の発光ダイオード電球が高温により損壊したり製造コストが高くなったりする欠点を有する点に鑑み、長年の関連分野における製造及び設計に加え、経験及び知識の助けにより様々な工夫を凝らし、従来の発光ダイオード電球に対して改良を加え、本考案を案出した。
【考案の概要】
【考案が解決しようとする課題】
【０００６】
本考案の目的は、熱の発生量を抑えて消費電力を減らすことができる上、照明の明るさ及び消費電力を調整し、消費電力を大幅に減らすことができる省エネ電球を提供することにある。
【課題を解決するための手段】
【０００７】
上記課題を解決するために、本考案の第１の形態によれば、ランプホルダを備える省エネ電球であって、前記ランプホルダ上には、導電コネクタが設けられ、前記ランプホルダ内には、角錐状組立品が取り付けられ、前記角錐状組立品の組立て面上には、複数の発光ダイオードと、整流ダイオードとがそれぞれ取り付けられ、前記角錐状組立品には、チョークインダクタが取り付けられ、前記チョークインダクタ上には、電流の入力又は出力を行う第１の端子及び第２の端子が設けられ、前記第１の端子は、ラインを介して前記整流ダイオード及び前記発光ダイオードとそれぞれ接続され、前記第２の端子は、ラインを介して前記ランプホルダの前記導電コネクタと接続され、前記ランプホルダには、ランプカバーが取り付けられ、前記ランプカバーにより前記角錐状組立品、前記整流ダイオード、前記発光ダイオード及び前記チョークインダクタが覆われることを特徴とする省エネ電球が提供される。
【０００８】
前記角錐状組立品には、前記チョークインダクタが内設される収容部が形成されていることが好ましい。
【０００９】
前記ランプホルダの外部には、ラインを介して前記チョークインダクタと接続されるとともに、調整装置を有する可変抵抗が配設されていることが好ましい。
【考案の効果】
【００１０】
本考案の省エネ電球は、複数の発光ダイオードを直列接続及び並列接続させて高電圧、且つ小電流の発光ダイオードモジュールを構成し、これにより、電流を減らして熱の発生を抑え、チョークインダクタにより電流を調整して発光ダイオードモジュールの消費電力を減らして省エネ効果を得るとともに、発光ダイオードモジュールの作動により発生する熱を減らすことができる上、ランプ内の部品が過熱して焼損してしまうことを防ぎ、放熱構造を減らしてランプの製造コストを減らすことができる。
【図面の簡単な説明】
【００１１】
【図１】本考案の一実施形態に係る省エネ電球を示す斜視図である。
【図２】本考案の一実施形態に係る省エネ電球を示す断面図である。
【図３】従来の省エネ電球を示す断面図である。
【考案を実施するための形態】
【００１２】
以下、本考案の実施形態について図に基づいて説明する。なお、これによって本考案が限定されるものではない。
【００１３】
まず、図１及び図２を参照する。図１及び図２に示すように、本考案の一実施形態に係る省エネ電球は、ランプホルダ１を備える。ランプホルダ１上には、導電コネクタ１１が設けられている。ランプホルダ１内には、多角形の角錐状組立品２が取り付けられている。多角形の角錐状組立品２上には、互いに対向した組立て面２１が多数形成され、角錐状組立品２の互いに対向した組立て面２１上には、複数の発光ダイオード３と、整流ダイオード４とがそれぞれ取り付けられ、複数の発光ダイオード３が互いに直列接続及び並列接続されて高電圧、且つ小電流のＨＶ−ＬＥＤ（Ｈｉｇｈ  Ｖｏｌｔａｇｅ  ＬＥＤ）が形成されている。
角錐状組立品２には、チョークインダクタ５が取り付けられる中空の収容部２２が形成されている。チョークインダクタ５上には、電流の入力又は出力を行う第１の端子５１及び第２の端子５２が設けられている。第１の端子５１は、ラインを介して複数の発光ダイオード３及び整流ダイオード４と接続される。第２の端子５２は、ラインを介してランプホルダ１の導電コネクタ１１と接続される。ランプホルダ１には、ランプカバー６が取り付けられる。ランプカバー６は、角錐状組立品２、発光ダイオード３、整流ダイオード４、チョークインダクタ５などを覆う。
【００１４】
この構成により、実際に組み立てて使用する際、本実施形態の省エネランプが備えるランプホルダ１の導電コネクタ１１は、ソケットの電源接続孔に挿着され、夜間又は周囲の光が暗くなったときに、ユーザが本実施形態のランプを作動させると、ソケットから電流が供給され、ランプホルダ１の導電コネクタ１１を電流が流れ、導電コネクタ１１に接続されたチョークインダクタ５の第２の端子５２へ電流が流れる。
電流がチョークインダクタ５を流れると、チョークインダクタ５は電流の電圧を調整したり定電流化を行ったりし、角錐状組立品２上の整流ダイオード４及び発光ダイオード３の使用に適した電源形態にする。続いて、調整された電流は、チョークインダクタ５の第１の端子５１から、複数の発光ダイオード３からなる発光ダイオードモジュールへ流れると、発光ダイオードモジュールが発光し、夜間又は周囲の光が暗いときの照明として用いることができる。複数の発光ダイオード３は、角錐状組立品２と組み合わされた多数面に設けられているため、発光する際、様々な角度により各方向へ光線が出射され、発光ダイオード電球から出射された光線の均一度を高めて照射範囲を広げることができる。
【００１５】
これにより、チョークインダクタ５により電流が調整された後、複数の発光ダイオード３により構成された発光ダイオードモジュールは、発光効率が高くなる上、発光ダイオードモジュールの使用寿命が延びる。
また本実施形態の複数の発光ダイオード３は、直列接続及び並列接続され、高電圧、且つ小電流の発光ダイオードモジュール（Ｈｉｇｈ  Ｖｏｌｔａｇｅ  ＬＥＤ：ＨＶ−ＬＥＤ）が形成されている。この高電圧の設計により、電流が小さくなると、発光ダイオードモジュールの発熱が減り、発光する際の温度上昇を抑え、ランプ内のその他の部品が高温により焼損してしまうことを防ぐことができる上、発光ダイオードモジュールの作動中の温度が高くなることを防ぐことができる。そのため、アルミ材料又はその他高価な材料からなる放熱フィンをランプホルダ１上に使用する必要はなく、ランプホルダ１の製造にかかるコストを抑えることができる。
また、本実施形態のランプは、チョークインダクタ５により高価な電子変圧器を代替し、発光ダイオード３を発光させることができるため、ランプの製造コストをさらに節減することができる。また、チョークインダクタ５は、作動しても廃熱が多く発生することがない上、本実施形態のランプが過熱により焼損してしまうことを防ぐことができる。また、チョークインダクタ５は、電磁鋼板及びコイルから構成されているため、使用寿命が電子変圧器より長い上、廃棄処理する際、環境が汚染されることを防ぐことができる。
【００１６】
前述の実施形態又は図面は、本考案の省エネ電球の実施形態を限定するわけではなく、例えば、ランプホルダ１の外部に可変抵抗を設けてもよい。可変抵抗は、ラインを介してチョークインダクタ５と接続され、可変抵抗上に調整装置を設け、調整装置を回転させて可変抵抗の抵抗値を調整し、チョークインダクタ５に流れる電圧の大きさを調整するとともに、発光ダイオード３に流れる電流の大きさをチョークインダクタ５により調整し、発光ダイオードモジュールの照明の明るさと、消費電力とを調整する。勿論、当業者であれば分かるように、本考案に適宜行われる変更や修正は、本考案の実用新案登録請求の範囲に含まれると解釈されるべきである。
【００１７】
上述したことから分かるように、本考案の省エネ電球は、以下（１）〜（４）の長所を有する。
（１）複数の発光ダイオードを直列接続及び並列接続させて高電圧、且つ小電流の発光ダイオードモジュールを構成し、これにより、発光ダイオードモジュールの作動により発生する熱を大幅に減らし、チョークインダクタにより発光ダイオードを発光させ、チョークインダクタが作動する際に多くの廃熱が発生することを防ぎ、電球内の部品が過熱により焼損することを防いで、使用寿命を延ばすことができる。
（２）複数の発光ダイオードを直列接続及び並列接続させて高電圧、且つ小電流の発光ダイオードモジュール及びチョークインダクタを構成し、作動するときの温度を下げるため、高コストの放熱フィンなどの複雑な構造が必要無く、ランプホルダの製造コストを減らすことができる上、１つのチョークインダクタにより高価な電子変圧器を代替し、ランプ全体の製造コストを減らすことができる上、電子部品の重金属により環境が汚染されることを防ぐことができる。
（３）発光ダイオードモジュールが角錐状組立品の各面に設けられ、複数の発光ダイオードが発光すると、様々な角度で光線が多方向へ出射されるため、発光ダイオードランプから出射された光線の均一度が高まり、照射範囲を広げることができる。
（４）チョークインダクタを可変抵抗に接続し、可変抵抗の調整装置を回転させて可変抵抗の抵抗値を調整し、チョークインダクタへ流れる電圧の大きさと、チョークインダクタから発光ダイオードモジュールへ流れる電流の大きさとを調整し、発光ダイオードの照明の明るさ及び消費電力を調整して省エネ効果を得ることができる。
【００１８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１９】
１      ランプホルダ
２      角錐状組立品
３      発光ダイオード
４      整流ダイオード
５      チョークインダクタ
６      ランプカバー
７      発光ダイオード電球
１１    導電コネクタ
２１    組立て面
２２    収容部
５１    第１の端子
５２    第２の端子
７１    ＬＶ−発光ダイオード
７２    ランプホルダ
７３    電子変圧器
７２１  放熱フィン
７３１  電子部品
【図１】
0003193878.tif 000003
【図２】
0003193878.tif 000004
【図３】
0003193878.tif 000005